(57)【要約】【課題】  簡単な操作で名刺を発注及び作成することができる名刺作成システム及び名刺作成方法を提供する。【解決手段】  名刺作成システムは、名刺作成サーバ１と、名刺作成データベース２と、通信ネットワーク３を介して接続された端末４（４１〜４ｎ）と、から構成されている。名刺作成サーバ１は、名刺上に印刷されたＱＲコードを端末４に読み取らせ、通信ネットワーク３を介して受信する。そして、名刺作成サーバ１は、受信した二次元コードを文字情報へと復号化し、受信した二次元コード及び復号化された文字情報を端末４に送信して、二次元コード付き名刺の作成を指示する。【選択図】  図１
2005141616.tif 000002
【特許請求の範囲】
【請求項１】
印刷機能を有する端末を含む複数の端末と通信ネットワークを介して接続され、名刺の作成を指示する名刺作成サーバであって、
当該サーバに接続された第１の端末から名刺の内容を特定する情報を含む情報コードを受信する受信手段と、
前記受信手段により受信した情報コードを復号化する復号化手段と、
前記復号化手段によって復号化された情報から、名刺に印刷される印刷情報を取得する印刷情報取得手段と、
前記受信手段により受信した情報コードと前記印刷情報取得手段により取得した印刷情報とを当該サーバに接続された印刷機能を有する所定の端末に送信して、該情報コードと該印刷情報とが付された名刺の作成を指示する作成指示手段と、
を備えることを特徴とする名刺作成サーバ。
【請求項２】
当該サーバに接続された印刷機能を有する端末の情報を記憶する端末情報記憶手段と、
前記端末情報記憶手段に記憶された印刷機能を有する端末の情報を前記第１の端末に送信して、名刺を作成する端末を選択させる選択手段と、
をさらに備え、
前記作成指示手段は、前記選択手段により選択された端末に名刺の作成を指示する、
ことを特徴とする請求項１に記載の名刺作成サーバ。
【請求項３】
印刷機能を有する端末を含む複数の端末と、前記複数の端末に通信ネットワークを介して接続されるサーバと、から構成される名刺作成システムであって、
第１の端末は、
名刺上に付された名刺の内容を特定する情報を含む情報コードを読み取る読取手段と、
前記読取手段により読み取った前記情報コードを前記サーバに送信する送信手段と、
を備え、
前記サーバは、
前記読取手段により読み取られた情報コードを前記第１の端末から受信する受信手段と、
前記受信手段により受信した情報コードを復号化する復号化手段と、
前記復号化手段によって復号化された情報から、名刺に印刷される印刷情報を取得する印刷情報取得手段と、
当該サーバに接続された印刷機能を有する端末の情報を記憶する端末情報記憶手段と、
前記端末情報記憶手段に記憶された印刷機能を有する端末の情報を前記第１の端末に送信して、名刺を作成する端末を選択させる選択手段と、
前記受信手段により受信した情報コードと前記印刷情報取得手段によって取得された印刷情報とを前記選択手段により選択された印刷機能を有する端末に送信して、該情報コードと該印刷情報とが付された名刺の作成を指示する作成指示手段と、
を備え、
前記選択手段により選択された端末は、前記サーバからの作成指示に応じて、前記印刷情報と前記情報コードとが付された名刺を作成する、
ことを特徴とする名刺作成システム。
【請求項４】
前記情報コードは、情報を平面上で縦横に展開した二次元コードであり、
前記選択手段により選択された端末は、前記作成指示手段からの作成指示を受けて所定のシート上に前記情報コードと前記印刷情報とを印刷して名刺を作成する、
ことを特徴とする請求項３に記載の名刺作成システム。
【請求項５】
印刷機能を有する端末を含む複数の端末と該複数の端末に通信ネットワークを介して接続されるサーバとを用いて名刺を作成する名刺作成方法であって、
名刺上に付された名刺の内容を特定する情報コードを読み取る読取ステップと、
前記読取ステップで読み取った情報コードを受信する受信ステップと、
前記受信ステップで受信した情報コードを復号化する復号化ステップと、
前記復号化ステップで復号化した情報から名刺に印刷される印刷情報を取得する印刷情報取得ステップと、
前記サーバに接続された印刷機能を有する端末の情報を送信して、名刺を作成する端末を選択させる選択ステップと、
前記受信ステップで受信した情報コードと前記印刷情報取得ステップで取得した印刷情報とを前記選択ステップで選択された端末に送信して、該情報コードと該文字情報とが付された名刺の作成を指示する作成指示ステップと、
を備えることを特徴とする名刺作成方法。
【請求項６】
名刺の作成を指示する名刺作成サーバとして機能させるためのプログラムであって、
コンピュータを、
名刺の内容を特定する情報を含む情報コードを受信する受信手段、
前記受信手段により受信した情報コードを復号化する復号化手段、
前記復号化手段により復号化した情報から名刺に印刷される印刷情報を取得する印刷情報取得手段、
前記受信手段により受信した情報コードと前記印刷情報取得手段により取得した印刷情報とを印刷機能を有する所定の端末に送信して、該情報コードと該印刷情報とが付された名刺の作成を指示する作成指示手段、
として機能させるためのプログラム。
【発明の詳細な説明】
【技術分野】
【０００１】
本発明は、名刺作成システム及び名刺作成方法に関し、詳しくは、名刺に二次元コードが付された二次元コード付き名刺を作成する名刺作成システム及び名刺作成方法に関する。
【背景技術】
【０００２】
ビジネス等において、初対面の人と接する場合に、名刺の交換が行われることが多い。この名刺は、紙やプラスチック等でできたカードの上に、個人の氏名、所属する会社や団体の名称、役職、電話番号等の個人情報を印刷したものである。こういった名刺の印刷を注文する場合、発注者は、直接印刷業者やその管理下にある小売店の店頭などで個人情報を伝え、印刷を依頼する。しかし、このような注文方法では、発注者が印刷業者や小売店へ出向くための時間と労力が必要となる。そこで、発注者が自宅や外出先などから、ネットワークを通じてオンラインで名刺等の商品を発注できるシステムが考えられた（例えば、特許文献１）。
【特許文献１】特開平１４−１７５４５３号公報
【発明の開示】
【発明が解決しようとする課題】
【０００３】
上述したように、メールやインターネット上で名刺を発注するシステムでは、発注者が直接出向くことなく、発注を行うことができる。しかし、Ｗｅｂ上での名前や必要事項の入力は相応の手間や時間を要する作業であり、例えばデザインを変更したい等の理由から発注者が新たに名刺を作り直したい場合に、個人情報を再度入力するのは非常に煩わしかった。また、入力ミスなどによる注文の間違いが発生しやすかった。
【０００４】
本発明は、上記実状に鑑みてなされたものであり、簡単な操作で名刺の発注及び作成が可能な名刺作成システム及び名刺作成方法を提供することを目的とする。
【課題を解決するための手段】
【０００５】
上記目的を達成するため、この発明の第１の観点にかかる名刺作成サーバは、
印刷機能を有する端末を含む複数の端末と通信ネットワークを介して接続され、名刺の作成を指示する名刺作成サーバであって、
当該サーバに接続された第１の端末から名刺の内容を特定する情報を含む情報コードを受信する受信手段と、
前記受信手段により受信した情報コードを復号化する復号化手段と、
前記復号化手段によって復号化された情報から、名刺に印刷される印刷情報を取得する印刷情報取得手段と、
前記受信手段により受信した情報コードと前記印刷情報取得手段により取得した印刷情報とを当該サーバに接続された印刷機能を有する所定の端末に送信して、該情報コードと該印刷情報とが付された名刺の作成を指示する作成指示手段と、
を備えることを特徴とする。
【０００６】
当該サーバに接続された印刷機能を有する端末の情報を記憶する端末情報記憶手段と、
前記端末情報記憶手段に記憶された印刷機能を有する端末の情報を前記第１の端末に送信して、名刺を作成する端末を選択させる選択手段と、
をさらに備え、
前記作成指示手段は、前記選択手段により選択された端末に名刺の作成を指示することが好ましい。
【０００７】
この発明の第２の観点に係る名刺作成システムは、
印刷機能を有する端末を含む複数の端末と、前記複数の端末に通信ネットワークを介して接続されるサーバと、から構成される名刺作成システムであって、
第１の端末は、
名刺上に付された名刺の内容を特定する情報を含む情報コードを読み取る読取手段と、
前記読取手段により読み取った前記情報コードを前記サーバに送信する送信手段と、
を備え、
前記サーバは、
前記読取手段により読み取られた情報コードを前記第１の端末から受信する受信手段と、
前記受信手段により受信した情報コードを復号化する復号化手段と、
前記復号化手段によって復号化された情報から、名刺に印刷される印刷情報を取得する印刷情報取得手段と、
当該サーバに接続された印刷機能を有する端末の情報を記憶する端末情報記憶手段と、
前記端末情報記憶手段に記憶された印刷機能を有する端末の情報を前記第１の端末に送信して、名刺を作成する端末を選択させる選択手段と、
前記受信手段により受信した情報コードと前記印刷情報取得手段によって取得された印刷情報とを前記選択手段により選択された印刷機能を有する端末に送信して、該情報コードと該印刷情報とが付された名刺の作成を指示する作成指示手段と、
を備え、
前記所定の端末は、前記サーバからの作成指示に応じて、前記印刷情報と前記情報コードとが付された名刺を作成する、
ことを特徴とする。
【０００８】
前記情報コードは、情報を平面上で縦横に展開した二次元コードであり、
前記選択手段により選択された端末は、前記作成指示手段からの作成指示を受けて所定のシート上に前記情報コードと前記印刷情報とを印刷して名刺を作成することが望ましい。
【０００９】
この発明の第３の観点にかかる名刺作成方法は、
印刷機能を有する端末を含む複数の端末と該複数の端末に通信ネットワークを介して接続されるサーバとを用いて名刺を作成する名刺作成方法であって、
名刺上に付された名刺の内容を特定する情報コードを読み取る読取ステップと、
前記読取ステップで読み取った情報コードを受信する受信ステップと、
前記受信ステップで受信した情報コードを復号化する復号化ステップと、
前記復号化ステップで復号化した情報から名刺に印刷される印刷情報を取得する印刷情報取得ステップと、
前記サーバに接続された印刷機能を有する端末の情報を送信して、名刺を作成する端末を選択させる選択ステップと、
前記受信ステップで受信した情報コードと前記印刷情報取得ステップで取得した印刷情報とを前記選択ステップで選択された端末に送信して、該情報コードと該文字情報とが付された名刺の作成を指示する作成指示ステップと、
を備えることを特徴とする。
【００１０】
この発明の第４の観点にかかるプログラムは、
名刺の作成を指示する名刺作成サーバとして機能させるためのプログラムであって、
コンピュータを、
名刺の内容を特定する情報を含む情報コードを受信する受信手段、
前記受信手段により受信した情報コードを復号化する復号化手段、
前記復号化手段により復号化した情報から名刺に印刷される印刷情報を取得する印刷情報取得手段、
前記受信手段により受信した情報コードと前記印刷情報取得手段により取得した印刷情報とを印刷機能を有する所定の端末に送信して、該情報コードと該印刷情報とが付された名刺の作成を指示する作成指示手段、
として機能させることを特徴とする。
【発明の効果】
【００１１】
本発明によれば、簡単な操作で名刺を発注及び作成することができる。
【発明を実施するための最良の形態】
【００１２】
以下、本発明の実施の形態に係る名刺作成システムおよび名刺作成方法について説明する。
【００１３】
（第１実施形態）
本実施の形態に係る名刺作成システムは、例えば、コンビニエンスストア等の店舗に備えられた端末（複合機）等からの発注による、二次元コード付きの名刺を作成するものである。
【００１４】
図１に本実施の形態の名刺作成システムの構成を示す。図１に示すように、名刺作成システムは、名刺作成サーバ１と、名刺作成データベース２と、通信ネットワーク３と、通信ネットワーク３を介して接続された端末４（４１〜４ｎ）と、から構成されている。
【００１５】
名刺作成サーバ１は、名刺作成システムに関する各種の処理をするためのものである。図２に名刺作成サーバ１の構成図を示す。図２に示すように、名刺作成サーバ１は、通信制御部１１と、処理制御部１２と、データ記憶部１３と、ＱＲコード変換部１４と、を備えている。
【００１６】
通信制御部１１は、例えば、ルータなどの所定の通信装置から構成され、名刺作成サーバ１と通信ネットワーク３とを接続する。通信制御部１１は、通信ネットワーク３を介して、端末４との間で、各種データ（情報）の送受信を行う。
【００１７】
処理制御部１２は、通信制御部１１を介して通信を行い、また、各種の情報を処理する。処理制御部１２は、例えば、ＣＰＵ（Central Processing Unit）を備え、データ記憶部１３から読み出した動作プログラムを実行する等により各種の処理を実行する。さらに、処理制御部１２は画像データを作成する。
【００１８】
データ記憶部１３は、半導体メモリ、磁気ディスク記録装置などから構成され、各種の情報やプログラムを記録する。
【００１９】
ＱＲコード変換部１４は、ユーザの個人情報を符号化し、図３に示すようにマトリクス状に展開された二次元コードであるＱＲコード５を生成するものである。ＱＲコード変換部１４は、処理制御部１２からの入力を受けてＱＲコード５の生成を行い、結果を処理制御部１２に供給する。尚、ＱＲコード５は、図４に示すように、後述する端末４の印刷部４７によって名刺上に印刷される。また、ＱＲコード変換部１４は、端末４から入力され、名刺作成サーバ１に送信されたＱＲコード５をユーザの個人情報へと復号化し、処理制御部１２に供給する。
【００２０】
名刺作成データベース２は、名刺作成システムに関する各種の情報を記憶するデータベース（ＤＢ）である。図５に名刺作成データベース２の構成を示す。図５に示すように、名刺作成データベース２は、名刺情報ＤＢ２１と、ユーザ情報ＤＢ２２と、画像情報ＤＢ２３と、を備えている。
【００２１】
名刺情報ＤＢ２１は、名刺の作成に必要なユーザの情報を記憶するデータベースである。名刺情報ＤＢ２１には、例えば、図６に示すように、名刺作成ＩＤ毎にレコードが作成され、各レコードには、ユーザの会社名、部署名、役職、氏名、会社の住所／所在地、電話番号、ＦＡＸ番号、メールアドレス、ユーザの顔を示す画像情報等が記憶されている。
【００２２】
ユーザ情報ＤＢ２２は、名刺作成システムを利用して名刺を作成したユーザに関する情報を記憶するデータベースである。ユーザ情報ＤＢ２２には、例えば、図７に示すように、ユーザＩＤ毎にレコードが作成され、各レコードには、ユーザの氏名、会社名、部署名、役職、会社の住所／所在地、電話番号、ＦＡＸ番号、メールアドレス等が記憶されている。ユーザＩＤは、ユーザの識別情報である。このユーザ情報ＤＢ２２は、名刺作成システムを利用して初めて名刺を作成する際にユーザが入力した情報、すなわち、名刺情報ＤＢ２１に登録された情報等を基に作成される。
【００２３】
画像情報ＤＢ２３は、後述する各処理で表示される様々な画像を構成する情報を記憶するデータベースであり、これらの画像を生成するための様々な素材の画像、各種フォームなどを記憶する。
【００２４】
通信ネットワーク３は、例えば、インターネット、ＬＡＮ（Local Area Network）、ＷＡＮ（Wide Area Network）等から構成されている。
【００２５】
端末４（４１〜４ｎ）は、ユーザによる名刺作成システムへの要求入力、その他の操作入力、名刺の印刷等を行う。本実施の形態では、端末４は、例えば、図８に示すような、コンビニエンスストア等に設置された複合機である。図９に端末４の構成を示す。図９に示すように、端末４は、通信制御部４１と、処理制御部４２と、記憶部４３と、操作部４４と、表示部４５と、画像入力部４６と、印刷部４７と、ＱＲコード読取部４８と、入金部４９と、から構成されている。
【００２６】
通信制御部４１は、例えば、ルータなどの所定の通信装置から構成され、端末４と通信ネットワーク３とを接続する。通信制御部４１は、処理制御部４２の制御により、通信ネットワーク３を介した各種データ（情報）の送受信を行う。
【００２７】
処理制御部４２は、端末４の各部を制御するとともに、所定の動作プログラムを実行することで、名刺作成サーバ１（処理制御部１２）からの指示に従い、名刺作成にかかる処理を制御する。
【００２８】
記憶部４３は、半導体メモリ、磁気ディスク記録装置等から構成され、各種の情報やプログラムを記録する。
【００２９】
操作部４４は、処理選択メニューの選択操作、その他の操作入力をするためのものであり、例えば、タッチパネル、キーボード等から構成されている。表示部４５は、ＣＲＴまたは液晶ディスプレー等から構成され、例えば、名刺作成にかかる操作ガイダンス、処理選択メニュー画面及びイメージデータを表示する。操作部４４及び表示部４５として、例えば、タッチディスプレーを用いてもよい。
【００３０】
画像入力部４６は、画像情報を入力するものであり、例えば、デジタルカメラ等により撮影したユーザの容姿、特にユーザの顔の画像情報を端末４に取り込むためのものである。
【００３１】
印刷部４７は、複写機等のプリンタから構成され、例えば、名刺等を印刷する。
【００３２】
ＱＲコード読取部４８は、図４に示すような名刺に印刷されたＱＲコード５を取り込むためのものであり、例えばスキャナ装置等を備えた所定の二次元コード読み取り装置から構成されている。
【００３３】
入金部４９は、通常はコピー料金などとして硬貨などを受け付ける。すなわち、入金部４９が金銭を受け付けたこと、および、その金額などに応じて、端末４の動作が制御される。
【００３４】
次に、以上のように構成された名刺作成システムを用いた名刺作成方法について説明する。本実施の形態では、ユーザが初めて名刺作成を行う場合を新規作成、ユーザが２回目以降に名刺作成を行う場合を通常作成として、説明する。また、登録済みの内容を変更する場合の処理を登録変更処理として、説明する。以下、新規作成、通常作成、登録変更の順に説明する。
【００３５】
（新規作成処理）
ユーザが名刺を作成する際、それがユーザにとって初めての名刺作成である場合には、端末４の操作部４４を操作して個人情報を入力する必要がある。以下、新規作成処理を図１０のフローチャートを参照して説明する。
【００３６】
まず、処理制御部１２は、図１１に示すメニューページを端末４の表示部４５に表示させる（ステップＳ１１）。次に、処理制御部１２は、メニューページから「新規作成」がクリックされているか否かを判別する（ステップＳ１２）。処理制御部１２は、「新規作成」がクリックされていないと判別すると（ステップＳ１２；Ｎｏ）、この処理を終了する。
【００３７】
処理制御部１２は、「新規作成」がクリックされていると判別すると（ステップＳ１２：Ｙｅｓ）、名刺情報の送信を要求する（ステップＳ１３）。具体的には、名刺を作成するユーザの会社名、部署名、役職、氏名、会社の住所／所在地、電話番号、ＦＡＸ番号、メールアドレス、必要な名刺枚数等に関する情報の送信を要求する。
【００３８】
ユーザは、端末４の操作部４４を操作して名刺情報を入力し、この入力情報を名刺作成サーバ１（処理制御部１２）に送信する。例えば、ユーザは図１２に示すような新規作成申込画面に必要事項を入力し、通信ネットワーク３を介して名刺作成サーバ１（処理制御部１２）に送信する。
ユーザは、ＯＣＲ等を用いて新規作成申込書のような紙面から名刺情報を取り込み、取り込んだ名刺情報を通信ネットワーク３を介して名刺作成サーバ１に送信してもよい。また、ＯＣＲ等を用いて、ユーザが現在使用している名刺から名刺情報を取り込んでもよい。
【００３９】
次に、処理制御部１２は、名刺情報について必要な情報を受信したか否かを判別する（ステップＳ１４）。処理制御部１２は、必要な情報を受信していないと判別すると（ステップＳ１４；Ｎｏ）、必要な情報を受信していない旨の情報を端末４の表示部４５に表示（送信）し、名刺作成企業の担当者に再度必要な情報の送信を求める。
【００４０】
処理制御部１２は、必要な情報を受信していると判別すると（ステップＳ１４；Ｙｅｓ）、ユーザの顔が撮影された画像情報の送信を要求する（ステップＳ１５）。
【００４１】
ユーザは、端末４の操作部４４を操作して、この画像情報を名刺作成サーバ１（処理制御部１２）に送信する。例えば、ユーザは、デジタルカメラ等により自らの顔を撮影し、この画像データを画像入力部４６を介して端末４に取り込み、取り込んだ画像情報を名刺作成サーバ１（処理制御部１２）に送信する。
【００４２】
次に、処理制御部１２は、画像情報を受信したか否かを判別する（ステップＳ１６）。処理制御部１２は、画像情報を受信していないと判別すると（ステップＳ１６；Ｎｏ）、画像情報を受信していない旨の情報を端末４の表示部４５に表示（送信）し、ユーザに再度画像情報の送信を求める。
【００４３】
処理制御部１２は、画像情報を受信していると判別すると（ステップＳ１６；Ｙｅｓ）、ステップＳ１４で受信した名刺情報から、名刺作成に係る代金を算出し、図１３に示すような入金画面の情報（ＨＴＭＬ形式の情報）を画像情報ＤＢ２３から読み出して、端末４に送信し、端末４の表示部４５に入金画面を表示させて、ユーザからの入金を要求する（ステップＳ１７）。
【００４４】
ユーザは、端末４の入金部４９から、表示部４５に表示された金額を投入する。所定の金額が投入されると、通信ネットワーク３を介して、入金がなされた旨の情報が名刺作成サーバ１（処理制御部１２）に送信される。
【００４５】
次に、処理制御部１２は、入金がなされているか否かを判別する（ステップＳ１８）。処理制御部１２は、入金がなされていないと判別すると（ステップＳ１８；Ｎｏ）、入金が確認できない旨の情報を端末４の表示部４５に表示（送信）し、ユーザに再度入金を求める。
【００４６】
処理制御部１２は、入金がなされていると判別すると（ステップＳ１８；Ｙｅｓ）、受信した名刺情報と画像情報等とをＱＲコード変換部１４に供給し、ＱＲコード５を生成させる（ステップＳ１９）。
【００４７】
次に、処理制御部１２は、生成したＱＲコード５とともに名刺情報や画像情報等の情報を端末４に送信し（ステップＳ２０）、送信した情報に基づいてユーザの名刺を作成するように指示する。端末４は、名刺作成サーバ１からの指示に基づいて、受信した情報とＱＲコード５とを印刷部４７で所定の用紙に印刷することにより、名刺を作成する。
【００４８】
続いて、処理制御部１２は、受信した名刺情報を名刺情報ＤＢ２１に登録し（ステップＳ２１）、この処理を終了する。また、処理制御部１２は、名刺情報ＤＢ２１に登録された情報等を基にユーザ情報を作成し、作成したユーザ情報をユーザ情報ＤＢ２２に登録する。
【００４９】
（通常作成処理）
ユーザが２回目以降に名刺を作成する場合、個人情報の入力を行うことなく、名刺を作成することができる。以下、通常作成処理を図１４のフローチャートを参照して説明する。
【００５０】
まず、処理制御部１２は、図１１に示すメニューページを端末４の表示部４５に表示させる（ステップＳ３１）。次に、処理制御部１２は、メニューページから「通常作成」がクリックされているか否かを判別する（ステップＳ３２）。処理制御部１２は、「通常作成」がクリックされていないと判別すると（ステップＳ３２；Ｎｏ）、この処理を終了する。
【００５１】
処理制御部１２は、「通常作成」がクリックされていると判別すると（ステップＳ３２；Ｙｅｓ）、端末４の表示部４５に、ユーザが所望する名刺の作成枚数を尋ねる画面を表示させる。さらに、処理制御部１２は、ユーザからの入力を受けて名刺作成にかかる金額を算出し、図１３に示すような画面を表示部４５に表示させて、ユーザからの入金を要求する（ステップＳ３３）。
【００５２】
ユーザは、端末４の入金部４９から、表示部４５に表示された金額を投入する。所定の金額が投入されると、通信ネットワーク３を介して、入金がなされた旨の情報が名刺作成サーバ１（処理制御部１２）に送信される。
【００５３】
次に、処理制御部１２は、入金がなされているか否かを判別する（ステップＳ３４）。処理制御部１２は、入金がなされていないと判別すると（ステップＳ３４；Ｎｏ）、入金が確認できない旨の情報を端末４の表示部４５に表示（送信）し、ユーザに再度入金を求める。
【００５４】
処理制御部１２は、入金がなされていると判別すると（ステップＳ３４；Ｙｅｓ）、端末４にＱＲコード５の送信を要求する（ステップＳ３５）。具体的には、図１５に示すような画面を端末４の表示部４５に表示させ、端末４のＱＲコード読取部４８を操作して名刺に付されているＱＲコード５を読み取らせるよう、ユーザに要求する。
【００５５】
次に、処理制御部１２は、ＱＲコード５を受信したか否かを判別する（ステップＳ３６）。処理制御部１２は、ＱＲコード５を受信していないと判別すると（ステップＳ３６；Ｎｏ）、ＱＲコードを受信していない旨の情報を端末４の表示部４５に表示（送信）し、ユーザに再度ＱＲコード５の送信を求める。
【００５６】
処理制御部１２は、ＱＲコード５を受信したと判別すると（ステップＳ３６；Ｙｅｓ）、受信したＱＲコード５をＱＲコード変換部１４に供給して復号化させ、復号化された内容に対応するユーザ情報をユーザ情報ＤＢ２２から読み出す。そして処理制御部１２は、読み出したユーザ情報とＱＲコード５とを端末４に送信し（ステップＳ３７）、送信した情報に基づいてユーザの名刺を作成するように指示する。端末４は、名刺作成サーバ１からの指示に基づいて、受信した情報とＱＲコード５とを印刷部４７で所定の用紙に印刷することにより、図４に示すようなＱＲコード付き名刺を作成する。
【００５７】
このような名刺作成処理によりＱＲコード５の付された名刺が作成される。上述したように、ユーザは２回目以降、端末４（ＱＲコード読取部４８）にＱＲコード５を読み取らせることにより、個人情報の再入力なしに名刺を発注することができる。
【００５８】
また、このように名刺にＱＲコード５が付されていることにより、例えば、ユーザから名刺を受け取った取引先の相手が、ＱＲコード５を読み取り可能な携帯電話機を用いることにより、手作業での入力を行うことなく、個人情報を携帯電話に登録することが可能となる。
【００５９】
（登録変更処理）
既に新規作成処理を行って登録を済ませているユーザが、会社の移転や役職の変更等の理由から登録内容を変更したい場合、所望の変更箇所のみを新たに入力することにより、登録内容を変更することができる。以下、登録変更処理を図１６のフローチャートを参照して説明する。
【００６０】
まず、処理制御部１２は、図１１に示すメニューページを端末４の表示部４５に表示させる（ステップＳ４１）。次に、処理制御部１２は、メニューページから「登録変更」がクリックされているか否かを判別する（ステップＳ４２）。処理制御部１２は、「登録変更」がクリックされていないと判別すると（ステップＳ４２；Ｎｏ）、この処理を終了する。
【００６１】
処理制御部１２は、「登録変更」がクリックされていると判別すると（ステップＳ４２；Ｙｅｓ）、端末４にＱＲコード５の送信を要求する（ステップＳ４３）。具体的には、図１５に示すような画面を端末４の表示部４５に表示させ、端末４のＱＲコード読取部４８を操作して名刺に付されているＱＲコード５を読み取らせるよう、ユーザに要求する。
【００６２】
次に、処理制御部１２は、ＱＲコード５を受信したか否かを判別する（ステップＳ４４）。処理制御部１２は、ＱＲコード５を受信していないと判別すると（ステップＳ４４；Ｎｏ）、ＱＲコード５を受信していない旨の情報を端末４の表示部４５に表示（送信）し、ユーザに再度ＱＲコード５の送信を求める。
【００６３】
処理制御部１２は、ＱＲコード５を受信したと判別すると（ステップＳ４４；Ｙｅｓ）、受信したＱＲコード５に対応するユーザ情報をユーザ情報ＤＢ２２から読み出す。そして処理制御部１２は、端末４の表示部４５に図１７に示すような画面を表示させ、ユーザに登録内容を変更したい項目を選択するよう、要求する（ステップＳ４５）。
【００６４】
次に、処理制御部１２は、変更項目が選択されたか否かを判別する（ステップＳ４６）。処理制御部１２は、変更項目が選択されていないと判別すると（ステップＳ４６；Ｎｏ）、変更項目が選択されていない旨の情報を端末４の表示部４５に表示（送信）し、ユーザに再度変更項目の選択を求める。
【００６５】
処理制御部１２は、変更項目が選択されたと判別すると（ステップＳ４６；Ｙｅｓ）、図１８に示すような画面を表示させ、ユーザからの入力を求める（ステップＳ４７）。
【００６６】
処理制御部１２は、ユーザからの入力内容を受信したか否かを判別する（ステップＳ４８）。入力内容を受信していないと判別すると（ステップＳ４８；Ｎｏ）、入力がなされていない旨の情報を端末４の表示部４５に表示（送信）し、ユーザに再度入力を求める。
【００６７】
入力内容を受信したと判別すると（ステップＳ４８；Ｙｅｓ）、ステップＳ４５〜４６で選択された項目と、入力された内容とに基づいて、ユーザ情報ＤＢ２２を更新する（ステップＳ４９）。そして、登録の変更が完了した旨を示す情報を端末４の表示部４５に送信（表示）し、この処理を終了する。
【００６８】
このような登録変更処理によりユーザの登録内容が変更される。上述したように、ユーザは新規作成処理のようにすべての項目を入力し直すことなく、個人情報の登録変更を行うことができる。
【００６９】
以上説明したように、本実施の形態によれば、名刺作成システムを使用することにより、ユーザは個人情報の入力等の面倒な作業を行うことなく、名刺を発注することが可能となる。また、ユーザ一人一人が手軽に名刺を発注することができるため、従来、企業等で行われていたように発注担当者がまとめて名刺を発注する必要がなくなる。
【００７０】
（第２実施形態）
本実施の形態に係る名刺作成システムは、例えば、ユーザが携帯電話等の端末から名刺の発注を行うものである。
【００７１】
本実施の形態の名刺作成システムは、図１９に示すように、名刺作成サーバ１と、名刺作成データベース２と、通信ネットワーク３と、通信ネットワーク３を介して接続された端末４（４１〜４ｎ）及び携帯端末６とから構成されている。名刺作成サーバ１、名刺作成データベース２、通信ネットワーク３、端末４（４１〜４ｎ）の各部の構成は、前述した第１実施形態のものと同様であるため、ここでの説明は省略する。
【００７２】
携帯端末６は、ユーザによる名刺作成システムへの要求入力、その他の操作入力を行う。本実施の形態では、携帯端末６は、例えば、図２０に示すような、カメラ付き携帯電話である。図２１に携帯端末６の構成を示す。図２１に示すように、携帯端末５は、通信制御部６１と、処理制御部６２と、記憶部６３と、操作部６４と、表示部６５と、画像入力部６６と、から構成されている。
【００７３】
画像入力部６６は、ＣＣＤ撮像素子等から構成されており、通常はデジタルカメラとして機能する。本実施の形態では、画像入力部６６は、ユーザの顔写真等を撮影して画像情報を取り込むのみでなく、ＱＲコード５の画像を撮影することにより、上述した第１実施形態におけるＱＲコード読取部４８として機能する。
【００７４】
次に、本実施の形態に係る名刺作成システムを用いた名刺作成方法について説明する。本実施の形態でも、上述した第１実施形態と同様、新規作成処理、通常作成処理、登録変更処理等の処理を行うが、ここでは通常作成処理のみについて説明する。以下、通常作成処理を図２２のフローチャートを参照して説明する。
【００７５】
まず、処理制御部１２は、図１１に示すメニューページを携帯端末６の表示部６５に表示させる（ステップＳ５１）。次に、処理制御部１２は、メニューページから「通常作成」がクリックされているか否かを判別する（ステップＳ５２）。処理制御部１２は、「通常作成」がクリックされていないと判別すると（ステップＳ５２；Ｎｏ）、この処理を終了する。
【００７６】
処理制御部１２は、「通常作成」がクリックされていると判別すると（ステップＳ５２；Ｙｅｓ）、端末６の表示部６５に、ユーザが所望する名刺の作成枚数を尋ねる画面を表示させる（ステップＳ５３）。ユーザは、画面表示に従って、名刺の必要枚数を入力し、名刺作成サーバ１に送信する。
【００７７】
処理制御部１２は、必要枚数の情報を受信したか否かを判別する（ステップＳ５４）。処理制御部１２は、必要枚数の情報を受信していないと判別すると（ステップＳ５４；Ｎｏ）、必要枚数の入力がなされていない旨の情報を携帯端末６の表示部６５に表示（送信）し、ユーザに再度必要枚数の入力を求める。
【００７８】
処理制御部１２は、必要枚数の情報を受信したと判別すると（ステップＳ５４；Ｙｅｓ）、携帯端末６にＱＲコード５の送信を要求する（ステップＳ５５）。具体的には、図２３に示すような画面を携帯端末６の表示部６５に表示させ、携帯端末６の画像入力部６６を操作して名刺に付されているＱＲコード５を読み取らせるよう、ユーザに要求する。
【００７９】
次に、処理制御部１２は、ＱＲコード５を受信したか否かを判別する（ステップＳ５６）。処理制御部１２は、ＱＲコード５を受信していないと判別すると（ステップＳ５６；Ｎｏ）、ＱＲコードを受信していない旨の情報を携帯端末６の表示部６５に表示（送信）し、ユーザに再度ＱＲコード５の送信を求める。
【００８０】
処理制御部１２は、ＱＲコード５を受信したと判別すると（ステップＳ５６；Ｙｅｓ）、携帯端末６の表示部６５に、図２４に示すような、ユーザの所望する名刺の作成場所（引き取り場所）を尋ねる画面を表示させる（ステップＳ５７）。
【００８１】
処理制御部１２は、ユーザからの場所の選択があったか否かを判別する。即ち、携帯端末６から、名刺の作成場所を選択する信号を受信したか否かを判別する（ステップＳ５８）。処理制御部１２は、場所の情報を受信していないと判別すると（ステップＳ５８；Ｎｏ）、名刺の引き取り場所が選択されていない旨を示す情報を携帯端末６の表示部６５に表示（送信）し、ユーザに再度引き取り場所の選択を求める。
【００８２】
処理制御部１２は、名刺の引き取り場所の情報を受信したと判別すると（ステップＳ５８；Ｙｅｓ）、ステップＳ５６で受信したＱＲコード５をＱＲコード変換部１４に供給して復号化させ、復号化された内容に対応するユーザ情報をユーザ情報ＤＢ２２から読み出す。そして処理制御部１２は、読み出したユーザ情報とＱＲコード５とを、ユーザが指定した引き取り場所に設置された端末４に送信し（ステップＳ５９）、送信した情報に基づいてユーザの名刺を作成するように指示する。端末４は、名刺作成サーバ１からの指示に基づいて、受信した情報とＱＲコード５とを印刷部４７で所定の用紙に印刷することにより、図４に示すようなＱＲコード付き名刺を作成する。
【００８３】
このような名刺作成処理によりＱＲコード５の付された名刺が作成される。上述したように、携帯端末６を用いることにより、場所を選ばずに名刺を発注することができる。
【００８４】
なお、本発明は、上記の実施の形態に限られず、種々の変形、応用が可能である。以下、本発明に適用可能な他の実施形態について説明する。
【００８５】
上記の第１実施形態では、端末４はコンビニエンスストア等の店頭に設置された複合機であり、その場で名刺作成を行うとして説明したが、第２実施形態における携帯端末６と同様に、例えば、端末４を用いて名刺の発注のみを行い、印刷済みの名刺を後日受け取るような構成とすることも可能である。これにより、例えば、店舗スペースの狭いコンビニエンスストアには発注のみを行うことが可能な小型の端末４を設置し、印刷は大型の店舗のみで行うといった名刺作成システムが実現できる。
【００８６】
また、上記実施の形態では、名刺作成処理において、端末４からユーザの顔を撮影した画像データを名刺作成サーバ１に送信した場合を例に本発明を説明したが、例えば、名刺作成サーバ１に送信しなくともよい。この場合、例えば、ユーザの顔を撮影した画像データを端末４の記憶部４３に記憶し、名刺作成サーバ１からの名刺の作成指示の際に、受信した名刺情報に、記憶部４３に記憶した画像データを加えて、名刺を作成（印刷）する。また、上記実施の形態では、名刺にユーザの顔を撮影した画像データを印刷した場合を例に本発明を説明したが、名刺にユーザの顔を印刷しなくてもよい。
【００８７】
また、上記の第２実施形態では、ユーザが携帯端末６の表示部６５上に表示されたリストから名刺作成場所を選択するものとして説明した。しかし、名刺作成場所の指定方法はこれに限定されず、例えば、個人情報の登録時などに予めどこの店舗で名刺の作成を行うかを指定しておき、毎回そこで名刺の作成を行うようにすることも可能である。
【００８８】
本発明の実施の形態にかかる名刺作成サーバ１は、専用のシステムによらず、通常のコンピュータシステムを用いて実現可能である。例えば、汎用コンピュータに、上述の処理を実行するためのプログラムを格納した記録媒体（フレキシブルディスク、ＣＤ−ＲＯＭなど）から当該プログラムをインストールすることにより、上述の処理を実行する名刺作成サーバ１を構成することができる。
【００８９】
そして、これらのプログラムを供給するための手段は任意である。上述のように所定の記録媒体を介して供給できる他、例えば、通信回線、通信ネットワーク、通信システムなどを介して供給してもよい。この場合、例えば、通信ネットワークの掲示板（ＢＢＳ）に当該プログラムを掲示し、これをネットワークを介して搬送波に重畳して提供してもよい。そして、このように提供されたプログラムを起動し、ＯＳの制御下で、他のアプリケーションプログラムと同様に実行することにより、上述の処理を実行することができる。
【図面の簡単な説明】
【００９０】
【図１】本発明の第一実施形態に係る名刺作成システムの構成を示す図である。
【図２】図１の名刺作成サーバの構成を示す図である。
【図３】ＱＲコードの一例を示す図である。
【図４】作成されたＱＲコード付き名刺の一例を示す図である。
【図５】図１の名刺作成データベースの構成を示す図である。
【図６】名刺情報データベースの構成を示す図である。
【図７】ユーザ情報データベースの構成を示す図である。
【図８】端末としての複合機の外観を示す図である。
【図９】図１の端末の構成を示す図である。
【図１０】名刺の新規作成処理を説明するためのフローチャートである。
【図１１】メニューページの一例を示す図である。
【図１２】名刺の新規作成申込画面の一例を示す図である。
【図１３】ユーザに入金を促す画面の一例を示す図である。
【図１４】名刺の通常作成処理を説明するためのフローチャートである。
【図１５】ＱＲコード読み取りを促す画面の一例を示す図である。
【図１６】登録変更処理を説明するためのフローチャートである。
【図１７】登録変更処理における変更項目の選択画面の一例を示す図である。
【図１８】登録変更処理における変更内容の入力画面の一例を示す図である。
【図１９】本発明の第２実施形態に係る名刺作成システムの構成を示す図である。
【図２０】携帯端末としてのカメラ付き携帯電話の外観を示す図である。
【図２１】携帯端末の構成を示す図である。
【図２２】本発明の第２実施形態に係る通常作成処理を説明するためのフローチャートである。
【図２３】ＱＲコード読み取りを促す画面の一例を示す図である。
【図２４】名刺の引き取り場所の選択を促す画面の一例を示す図である。
【符号の説明】
【００９１】
１    名刺作成サーバ
２    名刺作成データベース
３    通信ネットワーク
４    端末
５    ＱＲコード
６    携帯端末
１１  通信制御部
１２  処理制御部
１３  データ記憶部
１４  ＱＲコード変換部
２１  名刺情報ＤＢ
２２  ユーザ情報ＤＢ
２３  画像情報ＤＢ
４１  通信制御部
４２  処理制御部
４３  記憶部
４４  操作部
４５  表示部
４６  画像入力部
４７  印刷部
４８  ＱＲコード読取部
４９  入金部
６１  通信制御部
６２  処理制御部
６３  記憶部
６４  操作部
６５  表示部
６６  画像入力部
【図１】
2005141616.tif 000003
【図２】
2005141616.tif 000004
【図３】
2005141616.tif 000005
【図４】
2005141616.tif 000006
【図５】
2005141616.tif 000007
【図６】
2005141616.tif 000008
【図７】
2005141616.tif 000009
【図８】
2005141616.tif 000010
【図９】
2005141616.tif 000011
【図１０】
2005141616.tif 000012
【図１１】
2005141616.tif 000013
【図１２】
2005141616.tif 000014
【図１３】
2005141616.tif 000015
【図１４】
2005141616.tif 000016
【図１５】
2005141616.tif 000017
【図１６】
2005141616.tif 000018
【図１７】
2005141616.tif 000019
【図１８】
2005141616.tif 000020
【図１９】
2005141616.tif 000021
【図２０】
2005141616.tif 000022
【図２１】
2005141616.tif 000023
【図２２】
2005141616.tif 000024
【図２３】
2005141616.tif 000025
【図２４】
2005141616.tif 000026